【事件の表示】
　特願２００４−１４６４１２「化粧料組成物」拒絶査定不服審判事件〔平成１６年１２月　２日出願公開、特開２００４−３３９２２４〕について、次のとおり審決する。
【結　論】
　本件審判の請求は、成り立たない。
【理　由】
１．手続の経緯
　
　本願は、平成１６年５月１７日（パリ条約による優先権主張２００３年５月１６日（ＦＲ）フランス共和国）の出願であって、平成１７年７月２２日付の拒絶理由が通知され、平成１８年１月２６日に手続補正がなされるとともに意見書が提出された後、同年９月２７日付で拒絶査定がなされ、これに対し平成１９年１月１６日に拒絶査定不服審判の請求がなされ、同年２月１５日に手続補正がなされたものである。
　
２．平成１９年２月１５日付の手続補正（以下、「本件補正」という。）についての補正却下の決定
　
［補正却下の決定の結論］
　本件補正を却下する。
　
［理由］
（１）補正の内容
　本件補正は、平成１８年１月２６日付で補正された特許請求の範囲の請求項１〜４６、すなわち、
「【請求項１】
　生理上許容し得る媒体中に、回折格子を含有する少なくとも１種の回折性顔料と、干渉性多層構造を含有する少なくとも１種の角度彩色着色剤とを含有してなる化粧料組成物であって、こうして＋45°の入射光に対して該組成物は−10°〜＋30°の範囲に亘っての観測角度の変化について少なくとも50°の色相角の偏差Dhを表わし、且つ−30°〜−70°の範囲に亘っての観測角度に対して少なくとも５の差異（Δa*2＋Δb*2)1/2を表わす化粧料組成物。
　【請求項２】
　色相角の偏差Dhは−10°〜＋30°の範囲に亘っての観測角度の変化について少なくとも70°を有することを特徴とする請求項１記載の化粧料組成物。
　【請求項３】
　角度彩色着色剤は80μmより小さい又はこれに等しい寸法の顔料を含有することを特徴とする請求項１記載の組成物。
　【請求項４】
　角度彩色着色剤は6μm〜70μmの範囲にある寸法の顔料を含有することを特徴とする請求項１記載の組成物。
　【請求項５】
　色相角の偏差Dhは、+30°〜−10°の範囲にある観測角度の変化について80°より大きいか又は80°に等しいことを特徴とする請求項１〜４のいずれか１項に記載の組成物。
　【請求項６】
　色相角の偏差Dhは、＋30°〜−10°の範囲にある観測角度の変化について90°より大きいか又は90°に等しいことを特徴とする請求項１〜５の何れかに記載の組成物。
　【請求項７】
　色相角の偏差Dhは、＋30°〜−10°の範囲にある観測角度の変化について100°より大きいか又は100°に等しいことを特徴とする請求項１〜６の何れかに記載の組成物。
　【請求項８】
　色相角の偏差Dhは、＋30°〜−10°の範囲にある観測角度の変化について180°より大きいか又は180°に等しいことを特徴とする請求項１〜７の何れかに記載のマニキュア用組成物。
　【請求項９】
　色相角の偏差Dhは、＋30°〜−10°の範囲にある観測角度の変化について270°より大きいか又は270°に等しいことを特徴とする請求項１〜８の何れかにマニキュア用組成物。
　【請求項１０】
　色相角の偏差Dhは、＋30°〜−10°の範囲にある観測角度の変化について360°であることを特徴とする請求項１〜９の何れかにマニキュア用組成物。
　【請求項１１】
　差異 (Δa*2＋Δb*2)１/2は−30°〜−70°の範囲の観測角度について少なくとも８であることを特徴とする請求項１〜１０の何れかに記載の組成物。
　【請求項１２】
　差異 (Δa*2＋Δb*2)１/2は−30°〜−70°の範囲の観測角度について少なくとも10であることを特徴とする、請求項１〜１１の何れかに記載の組成物。
　【請求項１３】
　差異 (Δa*2＋Δb*2)１/2は−30°〜−70°の範囲の観測角度について少なくとも15であることを特徴とする、請求項１〜１２の何れかに記載の組成物。
　【請求項１４】
　差異 (Δa*2＋Δb*2)１/2は−30°〜−70°の範囲の観測角度について少なくとも20であることを特徴とする、請求項１〜１３の何れかに記載の組成物。
　【請求項１５】
　−30°〜−70°の範囲にある観測角度に亘って色相角の偏差Dhは15°より大きいか又は15°に等しいことを特徴とする請求項１〜１４の何れかに記載の組成物。
　【請求項１６】
　角度彩色着色剤に関する回折性顔料の重量比は85／15〜15/85の範囲にあることを特徴とする請求項１〜１５の何れかに記載の組成物。
　【請求項１７】
　角度彩色着色剤に関する回折性顔料の重量比は80／20〜20／80の範囲にあることを特徴とする、請求項１〜１６の何れかに記載の組成物。
　【請求項１８】
　角度彩色着色剤に関する回折性顔料の重量比は60／40〜40／60の範囲にあることを特徴とする、請求項１〜１７の何れかに記載の組成物。
　【請求項１９】
　角度彩色着色剤に関する回折性顔料の重量比は50／50であることを特徴とする、請求項１〜１８の何れかに記載の組成物。
　【請求項２０】
　組成物の全重量に関して5重量％以下の回折性顔料を含有することを特徴とする請求項１〜１９の何れかに記載の組成物。
　【請求項２１】
　組成物の全重量に関して0.5〜2.5重量％の回折性顔料を含有することを特徴とする請求項１〜２０の何れかに記載の組成物。
　【請求項２２】
　組成物の全重量に関して5％以下の角度彩色着色剤を含有することを特徴とする請求項１〜２１の何れかに記載の組成物。
　【請求項２３】
　組成物の全重量に関して0.5〜2.5％の角度彩色着色剤を含有することを特徴とする請求項１〜２２の何れかに記載の組成物。
　【請求項２４】
　誘電材料の１層で少なくとも片側を被覆した反射性材料の１層を包含してなる少なくとも１種の回折性顔料を含有することを特徴とする請求項１〜２３の何れかに記載の組成物。
　【請求項２５】
　反射性材料は次の金属.Al、Ag、Cu、Au、Pt、Sn、Ti、Pd、Ni、Co、Rd、Nb、Cr、及びこれらの組合せ又は合金から選択され、誘電材料は次の成分MgF2、SiO2、Al2O3、AlF3、CeF3、LaF3、NdF3、SmF2、BaF2、CaF2、LiF及びこれらの組合せから選択されることを特徴とする請求項１〜２４の何れかに記載の組成物。
　【請求項２６】
　少なくとも片側を反射層で被覆した誘電材料の１層を含有してなる少なくとも１種の回折性顔料を含有することを特徴とする請求項１〜２３の何れかに記載の組成物。
　【請求項２７】
　誘電材料は次の成分：MgF2、SiO、SiO2、Al2O3、TiO2、WO、AlN、BN、B4C、WC、TiC、TiN、N4Si3、ZnS、ガラス粒子、ダイヤモンド型炭素の粒子及びこれらの組合せから選択されることを特徴とする請求項１〜２６の何れかに記載の組成物。
　【請求項２８】
　次の成分：MgF2、CeF3、ZnS、ZnSe、Si、SiO2、Ge、Te、Fe2O3、Pt、Va、Al2O3、MgO、Y2O3、S2O3、SiO、HfO2、ZrO2、CeO2、Nb2O3、Ta2O5、TiO2、Ag、Al、Au、Rb、Ti、Ta、W、Zn、MoS2、氷晶石、これらの合金、ポリマー及び組合せから選択した材料の少なくとも１層を包含してなる少なくとも１種の角度彩色着色剤を含有することを特徴とする請求項１〜２７の何れかに記載の組成物。
　【請求項２９】
　反射性金属の１層を包含する角度彩色着色剤を有しないことを特徴とする請求項１〜２８の何れかに記載の組成物。
　【請求項３０】
　アルミニウムの１層を包含する角度彩色着色剤を有しないことを特徴とする請求項１〜２９の何れかに記載の組成物。
　【請求項３１】
　少なくとも１種の非角度彩色着色剤を含有することを特徴とする請求項１〜３０の何れかに記載の組成物。
　【請求項３２】
　非角度彩色着色剤は染料及び単色顔料から選択されることを特徴とする請求項１〜３１の何れかに記載の組成物。
　【請求項３３】
　組成物は次の形式の１つであり；無水形であるか、油状溶液又は水溶液の形であるか、油状又は水性ゲルの形であるか、水中油型又は油中水型エマルジョンの形であるか、多重エマルジョンの形であるか、油／水の界面に位置した小泡によって水中油分散物の形であることを特徴とする請求項１〜３２の何れかに記載の組成物。
　【請求項３４】
　請求項１〜３３の何れかに定義した組成物を含有してなるマニキュア。
　【請求項３５】
　請求項１〜３３の何れかに定義した組成物を含有してなる唇のメーキャップ。
　【請求項３６】
　請求項１〜３３の何れかに定義した組成物を含有してなるマスカラ。
　【請求項３７】
　請求項１〜３３の何れかに定義した組成物を含有してなるファンデーションメーキャップ。
　【請求項３８】
　皮膚、唇、爪及び毛髪から選んだ化粧用媒体のメーキャップ方法において、該媒体に請求項１〜３３の何れかに定義した化粧料組成物中の少なくとも１種の透明な角度彩色着色剤と回折性顔料とを同時に施用することからなる、媒体のメーキャップ方法。
　【請求項３９】
　生理上許容し得る媒質中に、0.5〜2.5重量％の回折格子を含有するMgF2／Al／MgF2構造の回折性顔料と0.5〜2.5重量％の多層干渉Fe2O3／SiO2／Fe2O3／SiO2／Fe2O3構造を有する角度彩色着色剤とを含有してなり、角度彩色着色剤に関する回折性顔料の重量比は85／15〜15／85の範囲にあることを特徴とする化粧料組成物。
　【請求項４０】
　生理上許容し得る媒質中に、１重量％の回折格子を含有するMgF2／Al／MgF2構造の回折性顔料と、１重量％の多層干渉Fe2O3／SiO2／Fe2O3／SiO2／Fe2O3構造を有する角度彩色着色剤とを含有してなり、角度彩色着色剤に関する回折性顔料の重量比は85／15〜15／85の範囲にあることを特徴とする請求項３９記載の化粧料組成物。
　【請求項４１】
　生理上許容し得る媒質中に、0.5〜2.5重量％の回折格子を含有するMgF2／Al／MgF2構造の回折性顔料と0.5〜2.5重量％の多層干渉Fe2O3／SiO2／マイカーオキシド／SiO2／Fe2O3構造を有する角度彩色着色剤とを含有してなり、角度彩色着色剤に関する回折性顔料の重量比は85／15〜15／85の範囲にあることを特徴とする化粧料組成物。
　【請求項４２】
　生理上許容し得る媒質中に、１重量％の回折格子を含有するMgF2／Al／MgF2構造の回折性顔料と、１重量％の多層干渉Fe2O3／SiO2／マイカーオキシド／SiO2／Fe2O3構造を有する角度彩色着色剤とを含有してなり、角度彩色着色剤に関する回折性顔料の重量比は85／15〜15／85の範囲にあることを特徴とする請求項４１記載の化粧料組成物。
　【請求項４３】
　生理上許容し得る媒質中に、0.5〜2.5重量％の回折格子を含有するMgF2／Al／MgF2構造の回折性顔料と、0.5〜2.5重量％の多層干渉TiO2／SiO2／TiO2構造を有する角度彩色着色剤とを含有してなり、角度彩色着色剤に関する回折性顔料の重量比は85／15〜15／85の範囲にあることを特徴とする化粧料組成物。
　【請求項４４】
　生理上許容し得る媒質中に、１重量％の回折格子を含有するMgF2／Al／MgF2構造の回折性顔料と、１重量％の多層干渉TiO2／SiO2／TiO2構造を有する角度彩色着色剤とを含有してなり、角度彩色着色剤に関する回折性顔料の重量比は85／15〜15／85の範囲にあることを特徴とする請求項４３記載の化粧料組成物。
　【請求項４５】
　生理上許容し得る媒質中に、0.5〜2.5重量％の回折格子を含有するMgF2／Al／MgF2構造の回折性顔料と0.5〜2.5重量％の多層干渉TiO2／Al2O3／TiO2構造を有する角度彩色着色剤とを含有してなり、角度彩色着色剤に関する回折性顔料の重量比は85／15〜15／85の範囲にあることを特徴とする化粧料組成物。
　【請求項４６】
　生理上許容し得る媒質中に、１重量％の回折格子を含有するMgF2／Al／MgF2構造の回折性顔料と、１重量％の多層干渉TiO2／Al2O3／TiO2構造を有する角度彩色着色剤とを含有してなり、角度彩色着色剤に関する回折性顔料の重量比は85／15〜15／85の範囲にあることを特徴とする請求項４５記載の化粧料組成物。」
を
「【請求項１】
　生理上許容し得る媒体中に、回折格子を含有する少なくとも１種の回折性顔料と、干渉性多層構造を含有する少なくとも１種の透明な角度彩色着色剤とを含有してなる液体の化粧料組成物であって、こうして＋45°の入射光に対して該組成物は−10°〜＋30°の範囲に亘っての観測角度の変化について少なくとも50°の色相角の偏差Dhを表わし、且つ−30°〜−70°の範囲に亘っての観測角度に対して少なくとも5の差異(Δa*2＋Δb*2)1/2を表わし、角度彩色着色剤に関する回折性含量の重量比は85／15〜15／85の範囲にあることを特徴とする液体の化粧料組成物。
　【請求項２】
　透明な角度彩色着色剤は、全て非金属性である複数層から成る請求項１記載の化粧料組成物。
　【請求項３】
　角度彩色着色剤はFe2O3／SiO2／Fe2O3／SiO2／Fe2O3；MoS2／SiO2／マイカ−オキシド／SiO2／MoS2；Fe2O3／SiO2／マイカ−オキシド／SiO2／Fe2O3；TiO2／SiO2／TiO2及びTiO2／Al2O3／TiO2から選ばれる請求項１記載の化粧料組成物。
　【請求項４】
　色相角の偏差Dhは−10°〜＋30°の範囲に亘っての観測角度の変化について少なくとも70°を有することを特徴とする請求項１記載の化粧料組成物。
　【請求項５】
　角度彩色着色剤は6μm〜70μmの範囲にある寸法の顔料を含有することを特徴とする請求項１記載の組成物。
　【請求項６】
　色相角の偏差Dhは、＋30°〜−10°の範囲にある観測角度の変化について80°より大きいか又は80°に等しいことを特徴とする請求項１〜５のいずれか１項に記載の組成物。
　【請求項７】
　色相角の偏差Dhは、＋30°〜−10°の範囲にある観測角度の変化について90°より大きいか又は90°に等しいことを特徴とする請求項１〜６の何れかに記載の組成物。
　【請求項８】
　色相角の偏差Dhは、＋30°〜−10°の範囲にある観測角度の変化について100°より大きいか又は100°に等しいことを特徴とする請求項１〜７の何れかに記載の組成物。
　【請求項９】
　色相角の偏差Dhは、＋30°〜−10°の範囲にある観測角度の変化について180°より大きいか又は180°に等しいことを特徴とする請求項１〜８の何れかに記載のマニキュア用組成物。
　【請求項１０】
　色相角の偏差Dhは、＋30°〜−10°の範囲にある観測角度の変化について270°より大きいか又は270°に等しいことを特徴とする請求項１〜９の何れかに記載のマニキュア用組成物。
　【請求項１１】
　色相角の偏差Dhは、＋30°〜−10°の範囲にある観測角度の変化について360°であることを特徴とする請求項１〜１０の何れかに記載のマニキュア用組成物。
　【請求項１２】
　差異(Δa*2＋Δb*2)1/2は−30°〜−70°の範囲の観測角度について少なくとも８であることを特徴とする請求項１〜１１の何れかに記載の組成物。
　【請求項１３】
　差異(Δa*2＋Δb*2)1/2は−30°〜−70°の範囲の観測角度について少なくとも10であることを特徴とする、請求項１〜１２の何れかに記載の組成物。
　【請求項１４】
　差異(Δa*2＋Δb*2)1/2は−30°〜−70°の範囲にある観測角度について少なくとも15であることを特徴とする、請求項１〜１３の何れかに記載の組成物。
　【請求項１５】
　差異(Δa*2＋Δb*2)1/2は−30°〜−70°の範囲の観測角度について少なくとも20であることを特徴とする、請求項１〜１４の何れかに記載の組成物。
　【請求項１６】
　−30°〜−70°の範囲にある観測角度に亘って色相角の偏差Dhは15°より大きいか又は15°に等しいことを特徴とする請求項１〜１５の何れかに記載の組成物。
　【請求項１７】
　角度彩色着色剤に関する回折性顔料の重量比は80／20〜20／80の範囲にあることを特徴とする、請求項１〜１６の何れかに記載の組成物。
　【請求項１８】
　角度彩色着色剤に関する回折性顔料の重量比は60／40〜40／60の範囲にあることを特徴とする、請求項１〜１７の何れかに記載の組成物。
　【請求項１９】
　角度彩色着色剤に関する回折性顔料の重量比は50／50であることを特徴とする、請求項１〜１８の何れかに記載の組成物。
　【請求項２０】
　組成物の全重量に関して0.5〜2.5重量％の回折性顔料を含有することを特徴とする請求項１〜１９の何れかに記載の組成物。
　【請求項２１】
　組成物の全重量に関して0.5〜2.5％の角度彩色着色剤を含有することを特徴とする請求項１〜２０の何れかに記載の組成物。
　【請求項２２】
　誘電材料の１層で少なくとも片側を被覆した反射性材料の１層を包含してなる少なくとも１種の回折性顔料を含有することを特徴とする請求項１〜２１の何れかに記載の組成物。
　【請求項２３】
　反射性材料は次の金属Al、Ag、Cu、Au、Pt、Sn、Ti、Pd、Ni、Co、Rd、Nb、Cr、及びこれらの組合せ又は合金から選択され、誘電材料は次の成分MgF2、SiO2、Al2O3、AlF3、CeF3、LaF3、NdF3、SmF2、BaF2、CaF2、LiF及びこれらの組合せから選択されることを特徴とする請求項１〜２２の何れかに記載の組成物。
　【請求項２４】
　少なくとも片側を反射層で被覆した誘電材料の１層を含有してなる少なくとも１種の回折性顔料を含有することを特徴とする請求項１〜２３の何れかに記載の組成物。
　【請求項２５】
　誘電材料は次の成分：MgF2、SiO、SiO2、Al2O3、TiO2、WO、AlN、BN、B4C、WC、TiC、TiN、N4Si3、ZnS、ガラス粒子、ダイヤモンド型炭素の粒子及びこれらの組合せから選択されることを特徴とする請求項１〜２４の何れかに記載の組成物。
　【請求項２６】
　次の成分：MgF2、CeF3、ZnS、ZnSe、Si、SiO2、Ge、Te、Fe2O3、Pt、Va、Al2O3、MgO、Y2O3、S2O3、SiO、HfO2、ZrO2、CeO2、Nb2O3、Ta2O5、TiO2、Ag、Al、Au、Rb、Ti、Ta、W、Zn、MoS2、氷晶石、これらの合金、ポリマー及び組合せから選択した材料の少なくとも１層を包含してなる少なくとも1種の角度彩色着色剤を含有することを特徴とする請求項１〜２５の何れかに記載の組成物。
　【請求項２７】
　アルミニウムの１層を包含する角度彩色着色剤を有しないことを特徴とする請求項１〜２６の何れかに記載の組成物。
　【請求項２８】
　少なくとも１種の非角度彩色着色剤を含有することを特徴とする請求項１〜２７の何れかに記載の組成物。
　【請求項２９】
　非角度彩色着色剤は染料及び単色顔料から選択されることを特徴とする請求項１〜２８の何れかに記載の組成物。
　【請求項３０】
　組成物は次の形式の１つであり；無水形であるか、油状溶液又は水溶液の形であるか、油状又は水性ゲルの形であるか、水中油型又は油中水型エマルジョンの形であるか、多重エマルジョンの形であるか、油／水の界面に位置した小泡によって水中油分散物の形であることを特徴とする請求項１〜２９の何れかに記載の組成物。
　【請求項３１】
　請求項１〜３０の何れかに定義した組成物を含有してなるマニキュア。
　【請求項３２】
　請求項１〜３０の何れかに定義した組成物を含有してなる唇のメーキャップ。
　【請求項３３】
　請求項１〜３０の何れかに定義した組成物を含有してなるファンデーションメーキャップ。
　【請求項３４】
　皮膚、唇、爪から選んだ化粧用媒体のメーキャップ方法において、該媒体に請求項１〜３０の何れかに定義した化粧料組成物中の少なくとも１種の透明な角度彩色着色剤と回折性顔料とを同時に施用することからなる、媒体のメーキャップ方法。
　【請求項３５】
　生理上許容し得る媒質中に、0.5〜2.5重量％の回折格子を含有するMgF2／Al／MgF2構造の回折性顔料と0.5〜2.5重量％の多層干渉Fe2O3／SiO2／Fe2O3／SiO2／Fe2O3構造を有する角度彩色着色剤とを含有してなり、角度彩色着色剤に関する回折性顔料の重量比は85／15〜15／85の範囲にあることを特徴とする化粧料組成物。
　【請求項３６】
　生理上許容し得る媒質中に、１重量％の回折格子を含有するMgF2／Al／MgF2構造の回折性顔料と、１重量％の多層干渉Fe2O3／SiO2／Fe2O3／SiO2／Fe2O3構造を有する角度彩色着色剤とを含有してなり、角度彩色着色剤に関する回折性顔料の重量比は85／15〜15／85の範囲にあることを特徴とする請求項３５記載の化粧料組成物。
　【請求項３７】
　生理上許容し得る媒質中に、0.5〜2.5重量％の回折格子を含有するMgF2／Al／MgF2構造の回折性顔料と0.5〜2.5重量％の多層干渉Fe2O3／SiO2／マイカ−オキシド／SiO2／Fe2O3構造を有する角度彩色着色剤とを含有してなり、角度彩色着色剤に関する回折性顔料の重量比は85／15〜15／85の範囲にあることを特徴とする化粧料組成物。
　【請求項３８】
　生理上許容し得る媒質中に、１重量％の回折格子を含有するMgF2／Al／MfF2構造の回折性顔料と、１重量％の多層干渉Fe2O3／SiO2／マイカ−オキシド／SiO2／Fe2O3構造を有する角度彩色着色剤とを含有してなり、角度彩色着色剤に関する回折性顔料の重量比は85／15〜15／85の範囲にあることを特徴とする請求項３７記載の化粧料組成物。
　【請求項３９】
　生理上許容し得る媒質中に、0.5〜2.5重量％の回折格子を含有するMgF2／Al／MgF2構造の回折性顔料と、0.5〜2.5重量％の多層干渉TiO2／SiO2／TiO2構造を有する角度彩色着色剤とを含有してなり、角度彩色着色剤に関する回折性顔料の重量比は85／15〜15／85の範囲にあることを特徴とする化粧料組成物。
　【請求項４０】
　生理上許容し得る媒質中に、１重量％の回折格子を含有するMgF2／Al／MgF2構造の回折性顔料と、１重量％の多層干渉TiO2／SiO2／TiO2構造を有する角度彩色着色剤とを含有してなり、角度彩色着色剤に関する回折性顔料の重量比は85／15〜15／85の範囲にあることを特徴とする請求項３９記載の化粧料組成物。
　【請求項４１】
　生理上許容し得る媒質中に、0.5〜2.5重量％の回折格子を含有するMgF2／Al／MgF2構造の回折性顔料と、0.5〜2.5重量％の多層干渉TiO2／SiO2／TiO2構造を有する角度彩色着色剤とを含有してなり、角度彩色着色剤に関する回折性顔料の重量比は85／15〜15／85の範囲にあることを特徴とする化粧料組成物。
　【請求項４２】
　生理上許容し得る媒質中に、0.5〜2.5重量％の回折格子を含有するMgF2／Al／MgF2構造の回折性顔料と、0.5〜2.5重量％の多層干渉TiO2／Al2O3／TiO2構造を有する角度彩色着色剤とを含有してなり、角度彩色着色剤に関する回折性顔料の重量比は85／15〜15／85の範囲にあることを特徴とする請求項４１記載の化粧料組成物。」
と補正するものである。
　
（２）対比及び判断
　上記した補正前後の各請求項（以下、補正後の請求項を「新請求項…」といい、補正前の請求項を「旧請求項…」という。）に係る発明の特定事項を対比すると、新請求項１に係る発明は旧請求項１に係る発明を、また、新請求項３４に係る発明は旧請求項３８に係る発明を、それぞれ限定的に減縮したものと解されるほか、新請求項４〜３３及び３５〜４２については、基本的には旧請求項の記載に基づいたものであり、必要に応じて引用する請求項の項番を変更したものである。
　しかしながら、新請求項２及び３については、旧請求項の何れかの請求項を限定的に減縮したものと解することができず、実質的に請求項を増加させるものであるから、平成１８年法律第５５号改正附則第３条第１項によりなお従前の例によるとされる同法による改正前の特許法第１７条の２第４項第２号に規定する事項を目的とするものといえないし、また、同項に規定する他の各号のいずれかの事項を目的とするものともできない。
　
（３）むすび
　したがって、本件補正は、平成１８年法律第５５号改正附則第３条第１項によりなお従前の例によるとされる同法による改正前の特許法第１７条の２第４項の規定に違反するので、同法第１５９条第１項において読み替えて準用する同法第５３条第１項の規定により却下すべきものである。
　
３．本願発明
　本件補正は上記のとおり却下されたので、本願の請求項１〜４６に記載された発明は、平成１８年１月２６日付の手続補正書の特許請求の範囲の請求項１〜４６に記載された事項により特定されるとおりのものであって、そのうち請求項１に係る発明（以下、「本願発明」という。）は、以下のとおりのものである。
　
「【請求項１】
　生理上許容し得る媒体中に、回折格子を含有する少なくとも１種の回折性顔料と、干渉性多層構造を含有する少なくとも１種の角度彩色着色剤とを含有してなる化粧料組成物であって、こうして＋45°の入射光に対して該組成物は−10°〜＋30°の範囲に亘っての観測角度の変化について少なくとも50°の色相角の偏差Dhを表わし、且つ−30°〜−70°の範囲に亘っての観測角度に対して少なくとも５の差異（Δa*2＋Δb*2)1/2を表わす化粧料組成物。」
　
４．原査定の拒絶理由の概要
　これに対して、原査定における拒絶の理由の概要は、この出願は、発明の詳細な説明の記載が特許法第３６条第４項第１号に規定する要件を満たしていない、というものであって、より具体的には、発明の詳細な説明は、請求項１に係る発明に関して、「回折性顔料」、「角度彩色着色剤」としていかなる具体物を使用することにより、同請求項に記載される「色相角の偏差Dh」や「差異(Δa*2＋Δb*2)1/2」についての条件を満足されるものであるのかが、本願出願時の技術常識や本願明細書の記載を参酌しても、当業者に理解できるように記載されていないので、この出願の発明の詳細な説明は、当業者が本願発明を実施することができる程度に明確且つ十分に記載されていない、というものである。
　
５．当審の判断
　発明の詳細な説明には、本願発明の課題に関連して、以下のような記載がなされている。
（なお、下線は当審が付した。）
　
（ア）「…
特に多数の照明及び観測条件下で目を引くのに適当な視覚効果を生成するために、広範囲の観測角度値に亘って観測角度を変化させると変化する色を提示することができしかも魅力的である化粧料組成物から有益性を生ずる必要性が存在する。
（イ）「本発明の第１の要旨によると、本発明は＋45°での入射照明に対して−10°〜＋30°の範囲にある観測角度の変化について少なくとも50°、より良くは少なくとも70°の色相角（hue angle）の偏差Dhと、−30°〜−70°の観測角度の間で少なくとも５の差異（Δa*2＋Δb*2)1/2との両方を表わすことを特徴とする、
増大した光学変動を有する化粧料組成物を提供することをかくして求める。
　
　上記（ア）、（イ）の記載、並びに他の発明の詳細な説明の記載からみて、本願発明は、広範囲の観測角度の変化に伴い色の変化を生じ、多数の照明及び観測条件下で魅力的である視覚効果を奏するといった、増大した光学変動を有する化粧料組成物を提供することを課題とするものである。
　そして、特に（イ）の記載によれば、本願発明の発明特定事項のうち「＋45°の入射光に対して該組成物は−10°〜＋30°の範囲に亘っての観測角度の変化について少なくとも50°の色相角の偏差Dhを表わし、且つ−30°〜−70°の範囲に亘っての観測角度に対して少なくとも５の差異（Δa*2＋Δb*2)1/2を表わす」とは、「増大した光学変動を有する」という本願発明に係る化粧料組成物が達成すべき結果を、「色相角の偏差Dh」や「差異(Δa*2＋Δb*2)1/2」といったパラメータを用いて表記するものであり、本願発明は化粧料組成物が「生理学上許容し得る媒体中に、回折格子を含有する少なくとも１種の回折性顔料と、干渉性多層構造を含有する少なくとも１種の角度彩色着色剤とを含有してなる」という発明特定事項を選択することで、かかる課題を解決し、達成すべき結果が得られるべく発明を実施しようとするものである。
　
　そこで、発明の詳細な説明に、当業者が本願発明を実施することができる程度に、すなわち、化粧料組成物が「生理上許容し得る媒体中に、回折格子を含有する少なくとも１種の回折性顔料と、干渉性多層構造を含有する少なくとも１種の角度彩色着色剤とを含有」することにより、課題が解決され、「＋45°の入射光に対して該組成物は−10°〜＋30°の範囲に亘っての観測角度の変化について少なくとも50°の色相角の偏差Dhを表わし、且つ−30　°〜−70°の範囲に亘っての観測角度に対して少なくとも５の差異（Δa*2＋Δb*2)1/2を表わす」という本願発明の特定事項にある要件を満たすべく、明確かつ十分に記載されているかについて以下検討する。
　
　発明の詳細な説明には、段落【００３９】〜【００７８】に、「回折性顔料」、「角度彩色着色剤」について、それぞれ「回折性顔料の例」、「角度彩色着色剤の例」と称して、これらに含まれうる物質について説明されているものの、それに止まるのであって、そこに記載された概念に含まれうる成分を選択し組み合わせた場合に、調製される化粧料組成物が「＋45°の入射光に対して該組成物は−10°〜＋30°の範囲に亘っての観測角度の変化について少なくとも50°の色相角の偏差Dhを表わし、且つ−30　°〜−70°の範囲に亘っての観測角度に対して少なくとも５の差異（Δa*2＋Δb*2)1/2を表わす」という本願発明で特定事項とされている要件を必ず満たすという説明はなされていない。例えば、本願発明は、「干渉性多層構造を含有する少なくとも１種の角度彩色着色剤」と抽象的な表現により特定事項を記載するものであるから、不透明な角度彩色顔料（OVP）を包含するものであるが、平成１９日２月２２日付の審判請求理由補充書及び同日付の手続補足書によれば、不透明な角度彩色顔料（OVP）を使用する場合（実験例４）には本願発明で特定事項とされている要件を満たさないことが示されており、「干渉性多層構造を含有する」「角度彩色着色剤」であってもその種類によっては所望の要件を満たすことができないものと認められる。
　
　そして、発明の詳細な説明には、上記段落の他に、下記の（ウ）〜（カ）に示される実施例が記載されている。
　
 （ウ）「実施例１
  マニキュア
  次の組成（重量割合）を有するマニキュアを生成した：
  
回折性顔料* 
  
角度彩色着色剤** 
  マニキュア基剤***                        100％にする必要量
*：　スペクトラフレイア1400シルバー（フレックス　プロダクツ社）
**：　シコパール（BASF社）
***：　マニキュア基剤は次の組成（％）を示した；
    ニトロセルロース                                      10
    可塑剤及びレジン                                      15
    レオロジー剤                                          1.5
    エチルアセテート、ブチルアセテート      100％にする必要量
  
組成物は図２に示した色経路を示して得られた。  30°〜−10°の範囲に在る観測角度の変化については、５以上の差異ΔＥab*と共に偏差Dhが約360°の色相角で得られることが見られる。  かかるマニキュアを用いると、広範囲の観測角度値に亘ってマニキュアの色の大きな変動が得られ、角度彩色顔料の存在は虹色効果の観測に伴なわない。
（エ）「実施例２
 
 回折性顔料*
 
 角度彩色着色剤**
  マニキュア基剤***                        100％にする必要量
 
 *：  スペクトラフレイア1400シルバー（フレックス  プロダクツ社）
 **：  キシロナ  マジック  マウブ（メルク社）
 ***：  マニキュア基剤は次の組成（％）を示した；
    ニトロセルロース                                      10
    可塑剤及びレジン                                      15
    レオロジー剤                                          1.5
    エチルアセテート、ブチルアセテート     100％にする必要量
  
観測した色経路は図３に示し、観測角度の変化と共に色の大きな変化が得られる。
（オ）「実施例３
  マニキュア
  
回折性顔料*
  
角度彩色着色剤** 
  マニキュア基剤***                        100％にする必要量
 
 *：  スペクトラフレイア1400シルバー（フレックス  プロダクツ社）
 **：  キシロナ  カリブビーン  ブルー（メルク社）
***：  マニキュア基剤は次の組成（％）を示した；
    ニトロセルロース                                      10
    可塑剤及びレジン                                      15
    レオロジー剤                                          1.5
    エチルアセテート、ブチルアセテート     100％にする必要量
  図４の色経路が観測される。
（カ）「実施例４
  光沢剤
 
 回折性顔料*
 
 角度彩色着色剤** 
  光沢剤基剤***                            100％にする必要量
 
 *：  スペクトラフレイア1400シルバー（フレックス  プロダクツ社）
 **：  シコパール（BASF社）
***：  光沢剤基剤は次の組成（％）を示した；
    ビス−ジグリセリル  2−ポリアクリルアジペート       19.4
    ジイソステアリル  マレート                          10.5
    トリデシル  トリメリテート                          11.1
    C18〜36酸トリグリセリド                             21.1
    シリカ  ジメチル  シリケート                        8.9
    ポリブテン                                          13.3
    ペンタエリスリトールテトライソステアレート          14.4
    芳香剤、防腐剤                                      必要量
  
図５の色経路が観測される。  30°〜−10°の範囲に亘って変化する観測角度に対して約100°の色相角の偏差Dhが測定し得る。
　
　すなわち、（ウ）〜（カ）の記載によれば、「回折性顔料」として「スペクトラフレイア1400シルバー（フレックス　プロダクツ社）」を、また、「角度彩色着色剤」として「シコパール（BASF社）」、「キシロナ　マジック　マウブ（メルク社）」、あるいは「キシロナ　カリブビーン　ブルー（メルク社）」を用いて調製された化粧料組成物については、分光角度反射計で測定すると図２〜５に示される色経路を示し、これらの図面によれば、本願発明の特定事項である「＋45°の入射光に対して該組成物は−10°〜＋30°の範囲に亘っての観測角度の変化について少なくとも50°の色相角の偏差Dhを表わし、且つ−30°〜−70°の範囲に亘っての観測角度に対して少なくとも５の差異（Δa*2＋Δb*2)1/2を表わす」という条件を満足するものであることを確認することができる。
　しかし、本願発明は、「回折格子を含有する少なくとも１種の回折性顔料」、「干渉性多層構造を含有する少なくとも１種の角度彩色着色剤」という抽象的な表現を含む記載により発明を特定するものであるから、（ウ）〜（カ）に記載された特定の回折性顔料や角度彩色着色剤に限られるものではない。それ故に、本願発明における回折性顔料や角度彩色着色剤は、発明の詳細な説明の段落【００３９】〜【００７８】に記載された概念に含まれるものの中から選択することになるが、上に述べたとおり、発明の詳細な説明には、かかる段落に記載の概念に包含される任意の成分を選択した上で組み合わせる場合であっても本願発明で特定されている要件を満たすとされているわけではない。
　結局のところ、（ウ）〜（カ）に記載された以外の回折性顔料や角度彩色着色剤を用いる場合において本願発明の所望の結果が達成されるかどうかは、段落【００３９】〜【００７８】に記載された概念に包含されうる回折性顔料及び角度彩色着色剤を実際に選択した上で組み合わせ調製した化粧料組成物について、調製のたびに分光角度反射計を用いて化粧料組成物の「色相角の偏差Dh」及び「差異(Δa*2＋Δb*2)1/2」の測定を行い、その結果が「＋45°の入射光に対して該組成物は−10°〜＋30°の範囲に亘っての観測角度の変化について少なくとも50°の色相角の偏差Dhを表わし、且つ−30°〜−70°の範囲に亘っての観測角度に対して少なくとも５の差異（Δa*2＋Δb*2)1/2を表わす」という条件を満足するものであるかどうか確かめるという、当業者に期待しうる程度を超える試行錯誤を要求する行為なくしては、本願発明に係る化粧料組成物を調製することは困難であるといわざるを得ない。
　また、本願出願時において、「回折格子を含有する少なくとも１種の回折性顔料」や「干渉性多層構造を含有する少なくとも１種の角度彩色着色剤」の概念に包含される物質を選択し組み合わせ調製する化粧料組成物が、本願発明で特定される要件を満たすものであるとの技術常識が存在するものとも認められない。
　
　したがって、本願発明の詳細な説明の記載は、当業者が本願発明を実施することができる程度に明確且つ十分に記載されているものとすることができない。
　
６．むすび
　以上のとおりであるから、この出願は、発明の詳細な説明の記載が不備であるから特許法第３６条第４項第１号に規定する要件を満たしているものとすることができない。